(57)【要約】【課題】  多項目イオン活量測定器具において、細片状多孔性液体分配部材の位置が若干ずれた場合でも、点着された試料液もしくは参照液のイオン選択電極への確実かつ迅速な分配供給が可能となる信頼性の高い多項目イオン活量測定器具を提供する。【解決手段】  細片状多孔性液体分配部材として、長さ方向に沿って対向する断面を有する二つの部分に分割されていて、その二つの分配部材部分の対向する断面の双方が分配部材の平面に沿って伸びる突起を有する細片状多孔性液体分配部材を用いる。【選択図】      図３ 
2005164245.tif 000002
【特許請求の範囲】
【請求項１】
底板、該底板上に互いに間隔を以て平行に配置された二以上のイオン選択電極対、各イオン選択電極対の液接触領域のそれぞれに試料液もしくは参照液を付与するための液付与孔を有する遮蔽部材、上記イオン選択電極対に交差する方向に沿って、互いに間隔を以て平行に並べられた、点着された試料液もしくは参照液を各液体付与孔に分配供給する複数の細片状多孔性液体分配部材、各多孔性液体分配部材のそれぞれに試料液と参照液とを点着する二個の点着孔を有する上板、そして上板の二個の点着孔を架橋している糸ブリッジを含む多項目イオン活量測定器具であって、該細片状多孔性液体分配部材の少なくとも一方が長さ方向に沿って対向する断面を有する二つの部分に分割されていて、該二つの分配部材部分の対向する断面の双方が分配部材の平面に沿って伸びる突起を有することを特徴とする多項目イオン活量測定器具。
【請求項２】
該細片状多孔性液体分配部材のそれぞれが長さ方向に沿って対向する断面を有する二つの部分に分割されていて、該二つの分配部材部分の対向する断面の双方が突起を有する請求項１に記載の多項目イオン活量測定器具。
【請求項３】
底板、該底板上に互いに間隔を以て平行に配置された、点着された試料液もしくは参照液を下記の液付与孔に分配供給する複数の細片状多孔性液体分配部材、下記の上板の点着孔に点着された試料液もしくは参照液を細片状多孔性液体分配部材に案内供給する案内供給孔そして下記のイオン選択電極対の液体接触領域のそれぞれに試料液もしくは参照液を付与するための液付与孔を有する遮蔽部材、上記細片状多孔性液体分配部材に交差する方向に沿って、互いに間隔を以て平行に並べられた二以上のイオン選択電極対、各多孔性液体分配部材のそれぞれに試料液と参照液とを点着する二個の点着孔を有する上板、そして上板の二個の点着孔を架橋している糸ブリッジを含む多項目イオン活量測定器具であって、該細片状多孔性液体分配部材の少なくとも一方が長さ方向に沿って対向する断面を有する二つの部分に分割されていて、該二つの分配部材部分の対向する断面の双方が分配部材の平面に沿って伸びる突起を有することを特徴とする多項目イオン活量測定器具。
【請求項４】
該細片状多孔性液体分配部材のそれぞれが長さ方向に沿って対向する断面を有する二つの部分に分割されていて、該二つの分配部材部分の対向する断面の双方が突起を有する請求項３に記載の多項目イオン活量測定器具。
【発明の詳細な説明】
【技術分野】
【０００１】
本発明は、水性液体中の二以上の特定イオンの濃度を一回の試料液付与により測定することが可能な多項目イオン活量測定器具に関する。本発明は特に、血液、尿、唾液などの体液に含まれている特定のイオンの活量（または濃度）をポテンシオメトリカルに測定するための多項目イオン活量測定器具に関する。
【背景技術】
【０００２】
水性液体（例、水道水、河川水、下水、産業排水など）や生物体液（例、血液、尿、唾液、髄液）の中に含まれる特定のイオンの濃度（または活量）を、フィルム上のイオン選択電極を用いて測定する方法は既に知られている。
【０００３】
イオン選択電極は、細長い非導電性シート、該非導電性シートの上に形成された互いに電気的に分離されている一対の金属銀電極、該金属銀電極の表面に形成されたハロゲン化銀層、該ハロゲン化銀層の表面に配設された電解質層とイオン選択材料層、イオン選択材料層の上に配設された試料液と参照液とを点着する点着孔を備えた上板、そして各点着孔のそれぞれを架橋している糸ブリッジを含む構成を有している。
【０００４】
初期に開発されたイオン選択電極は、一回の試料液の点着で一種のイオンの濃度（あるいは活量）を測定するものであったが、その後、一回の試料液の点着で二種もしくはそれ以上の種類のイオンの濃度（あるいは活量）を測定することを可能とした多項目イオン活量測定器具が開発された。
【０００５】
特許文献１には、二つの代表的な構成の図１と図２に示した多項目イオン活量測定器具が開示されている。
【０００６】
図１の多項目イオン活量測定器具は、イオン選択電極固定底板１００、該底板上に互いに間隔を以て平行に配置されている三組のイオン選択電極対２００、各イオン選択電極対２００の液接触領域２１１、２２１のそれぞれに試料液もしくは参照液を付与する三組の液付与孔３１１、３２１を有する遮蔽部材３００、互いに間隔を以て平行に並べられた、点着された試料液もしくは参照液を各液体付与孔に分配供給する複数のそれぞれが長さ方向にそって分割された二本の細片状多孔性液体分配部材４１０、各多孔性液体分配部材のそれぞれに試料液と参照液とを点着する点着孔５１０、５２０を有する上板５５１、そして上板の各点着孔のそれぞれを架橋している糸ブリッジ６００を含む構成をしている。
【０００７】
図２の多項目イオン活量測定器具は、底板４１、該底板上に互いに間隔を以て平行に配置された、点着された試料液もしくは参照液を下記の液付与孔に分配供給する複数のそれぞれが長さ方向に沿って分割された細片状多孔性液体分配部材３６、下記の上板の点着孔に点着された試料液もしくは参照液を細片状多孔性液体分配部材３６に案内供給する点着液案内供給孔３３そして下記のイオン選択電極対の液体接触領域のそれぞれに試料液もしくは参照液を付与する三組の液付与孔３５ａ、３５ｂ、３５ｃを有する遮蔽部材４０、互いに間隔を以て平行に並べられた三組のイオン選択電極対３１ａ、３１ｂ、３１ｃ、各多孔性液体分配部材のそれぞれに試料液と参照液とを点着する点着孔５１を有する上板３８、そして上板の各点着孔５１のそれぞれを架橋している糸ブリッジ３９を含む構成をしている。
【０００８】
【特許文献１】特公平４−７６５７８号公報
【発明の開示】
【発明が解決しようとする課題】
【０００９】
本発明者の研究によると、図１と図２のそれぞれに図示されている、互いに平行な断面を介して長さ方向に沿って分割された細片状多孔性液体分配部材を用いた場合、底板４１の上、もしくは遮蔽部材３００の上で、分割された細片状多孔性液体分配部材の一方あるいは双方が、僅かに長さ方向に移動して（ずれて）、各分割片の対向する一方あるいは双方の断面が上板の点着孔もしくは遮蔽部材の点着液案内供給孔の位置から外れやすく、その場合には、液体分配部材によって、点着された試料液もしくは参照液をイオン選択電極に迅速に分配供給することが困難になることが判明した。点着された試料液もしくは参照液をイオン選択電極に迅速に分配供給できないと、迅速な多項目イオン活量測定ができなくなり、あるいは多項目イオン活量測定の精度が低下することになる。
【課題を解決するための手段】
【００１０】
本発明は、底板、該底板上に互いに間隔を以て平行に配置された二以上のイオン選択電極対、各イオン選択電極対の液接触領域のそれぞれに試料液もしくは参照液を付与するための液付与孔を有する遮蔽部材、上記イオン選択電極対に交差する方向に沿って、互いに間隔を以て平行に並べられた、点着された試料液もしくは参照液を各液体付与孔に分配供給する複数の細片状多孔性液体分配部材、各多孔性液体分配部材のそれぞれに試料液と参照液とを点着する二個の点着孔を有する上板、そして上板の二個の点着孔を架橋している糸ブリッジを含む多項目イオン活量測定器具であって、該細片状多孔性液体分配部材の少なくとも一方が長さ方向に沿って対向する断面を有する二つの部分に分割されていて、該二つの分配部材部分の対向する断面の双方が分配部材の平面に沿って伸びる突起を有することを特徴とする多項目イオン活量測定器具にある。
【００１１】
本発明はまた、底板、該底板上に互いに間隔を以て平行に配置された、点着された試料液もしくは参照液を下記の液付与孔に分配供給する複数の細片状多孔性液体分配部材、下記の上板の点着孔に点着された試料液もしくは参照液を細片状多孔性液体分配部材に案内供給する案内供給孔そして下記のイオン選択電極対の液体接触領域のそれぞれに試料液もしくは参照液を付与するための液付与孔を有する遮蔽部材、上記細片状多孔性液体分配部材に交差する方向に沿って、互いに間隔を以て平行に並べられた二以上のイオン選択電極対、各多孔性液体分配部材のそれぞれに試料液と参照液とを点着する二個の点着孔を有する上板、そして上板の二個の点着孔を架橋している糸ブリッジを含む多項目イオン活量測定器具であって、該細片状多孔性液体分配部材の少なくとも一方が長さ方向に沿って対向する断面を有する二つの部分に分割されていて、該二つの分配部材部分の対向する断面の双方が分配部材の平面に沿って伸びる突起を有することを特徴とする多項目イオン活量測定器具にもある。
【００１２】
上記のいずれの多項目イオン活量測定器具においても、該細片状多孔性液体分配部材のそれぞれが長さ方向に沿って対向する断面を有する二つの部分に分割されていて、該二つの分配部材部分の対向する断面の双方が突起を有することが好ましい。ただし、二つの分配部材の内、一つのみが長さ方向に沿って対向する断面を有する二つの部分に分割されていて、該二つの分配部材部分の対向する断面の双方が突起を有する形状で、他の一つが、例えば、図１と図２に示されているような、従来知られている分配部材であってもよい。
【発明の効果】
【００１３】
本発明に多項目イオン活量測定器具を用いることにより、細片状多孔性液体分配部材の位置が若干ずれた場合でも、点着された試料液もしくは参照液の細片状多孔性液体分配部材の突起部断面への確実な接触ができるため、イオン選択電極への確実かつ迅速な分配供給が可能となり、測定信頼性の高い多項目イオン活量測定が可能となる。
【発明を実施するための最良の形態】
【００１４】
本発明の多項目イオン活量測定器具の代表的な構成の例を図３と図４とに示す。
【００１５】
図３の多項目イオン活量測定器具は、図１の多項目イオン活量測定器具と同様に、イオン選択電極固定底板１００、該底板上に互いに間隔を以て平行に配置されている三組のイオン選択電極対２００、各イオン選択電極対２００の液接触領域２１１、２２１のそれぞれに試料液もしくは参照液を付与する三組の液付与孔３１１、３２１を有する遮蔽部材３００、互いに間隔を以て平行に並べられた、点着された試料液もしくは参照液を各液体付与孔に分配供給する複数のそれぞれが長さ方向にそって分割された二本の細片状多孔性液体分配部材４１０、各多孔性液体分配部材のそれぞれに試料液と参照液とを点着する点着孔５１０、５２０を有する上板５５１、そして上板の各点着孔のそれぞれを架橋している糸ブリッジ６００を含む構成をしている。ただし、図３の多項目イオン活量測定器具では、装着する細片状多孔性液体分配部材として、長さ方向にそって対向する断面を有する二つの部分に分割されていて、その二つの分配部材部分の対向する断面の双方が分配部材の平面に沿って伸びる突起を有する細片状多孔性液体分配部材を用いる。図３においては、上記の突起は、分配部材を長さ方向（あるいは幅方向）に対して斜めに切断した形状をしている。
【００１６】
図４の多項目イオン活量測定器具は、図２の多項目イオン活量測定器具と同様に、底板４１、該底板上に互いに間隔を以て平行に配置された、点着された試料液もしくは参照液を下記の液付与孔に分配供給する複数のそれぞれが長さ方向に沿って分割された細片状多孔性液体分配部材４１０、下記の上板の点着孔に点着された試料液もしくは参照液を細片状多孔性液体分配部材４１０に案内供給する点着液案内供給孔３３そして下記のイオン選択電極対の液体接触領域のそれぞれに試料液もしくは参照液を付与する三組の液付与孔３５ａ、３５ｂ、３５ｃを有する遮蔽部材４０、互いに間隔を以て平行に並べられた三組のイオン選択電極対３１ａ、３１ｂ、３１ｃ、各多孔性液体分配部材のそれぞれに試料液と参照液とを点着する点着孔５１を有する上板３８、そして上板の各点着孔５１のそれぞれを架橋している糸ブリッジ３９を含む構成をしている。ただし、図３の多項目イオン活量測定器具では、装着する細片状多孔性液体分配部材として、長さ方向にそって対向する断面を有する二つの部分に分割されていて、その二つの分配部材部分の対向する断面の双方が分配部材の平面に沿って伸びる突起を有する細片状多孔性液体分配部材を用いる。図３においては、上記の突起は、分配部材を長さ方向（あるいは幅方向）に対して斜めに切断した形状をしている。
【００１７】
図５は、図３と図４において用いられている細片状多孔性液体分配部材の平面図を表わす。対向する断面を取り囲むように示されている円は、上板の点着孔もしくは遮蔽部材の点着液案内供給孔を表わす。
【００１８】
本発明で用いる細片状多孔性液体分配部材の断面形状は、図５に示した分配部材を長さ方向に対して斜めに切断した形状に限定されるものではない。
【００１９】
図６の細片状多孔性液体分配部材の断面形状は、分配部材を長さ方向に斜めに切断した断面が、それぞれの突起部が対向するように配置されている。
【００２０】
図７の細片状多孔性液体分配部材の断面形状は、分配部材の幅方向の中央で突出するように形成された突起部が互いに対向するように配置されている。
【００２１】
図８の細片状多孔性液体分配部材の断面形状は、分配部材の幅方向の中央で突出するように形成された突起部の裾部と、分配部材の両側面で突出するように形成された突起部とが互いに対向するように配置されている。
【００２２】
図９の細片状多孔性液体分配部材の断面形状は、分配部材の幅方向の中央で先端が平坦に突出するように形成された突起部が互いに対向するように配置されている。
【００２３】
図１０の細片状多孔性液体分配部材の断面形状は、分配部材の幅方向の中央で突出するように形成された突起部の裾部と、分配部材の両側面で突出するように形成された突起部とが互いに対向するように配置されている。
【００２４】
図１１の細片状多孔性液体分配部材の断面形状は、分配部材の幅方向の中央で円形に突出するように形成された突起部が互いに対向するように配置されている。
【００２５】
図１２の細片状多孔性液体分配部材の断面形状は、分配部材の幅方向の中央で円形に突出するように形成された突起部の裾部と、分配部材の両側面で突出するように形成された突起部とが互いに対向するように配置されている。
【００２６】
図１３の細片状多孔性液体分配部材の断面形状は、分配部材の幅方向の中央で長円形に突出するように形成された突起部が互いに対向するように配置されている。
【００２７】
図１４の細片状多孔性液体分配部材の断面形状は、分配部材の幅方向の中央で長円形に突出するように形成された突起部の裾部と、分配部材の両側面で突出するように形成された突起部とが互いに対向するように配置されている。
【００２８】
図３と図４に示された本発明の多項目イオン活量測定器具は、イオン選択電極対を三組備えていて、合計三種のイオン種（例えば、ナトリウムイオン、カリウムイオン、塩素イオン）の濃度を、各々一回の試料液と参照液の点着により、ほぼ同時に測定することが可能である。ただし、多項目イオン活量測定器具に組込まれるイオン選択電極対は二組でもよく、あるいは四組以上であってもよいことは勿論である。
【００２９】
本発明の多項目イオン活量測定器具に装着される細片状多孔性液体分配部材は、先に引用した特許文献１に記載された各種の材料から任意に選択して製造することが可能である。特に好ましいのは、綿繊維、再生セルロースもしくは合成高分子繊維からなる小サイズの連続空隙を有する不織布（商品名：ベンリーゼ）である。
【図面の簡単な説明】
【００３０】
【図１】従来の多項目イオン活量測定器具の一例の構成を示す図である。
【図２】従来の多項目イオン活量測定器具の他の一例の構成を示す図である。
【図３】本発明の多項目イオン活量測定器具の一例の構成を示す図である。
【図４】本発明の多項目イオン活量測定器具の他の一例の構成を示す図である。
【図５】本発明の多項目イオン活量測定器具に組込まれる細片状多孔性液体分配部材の一例の構成を示す図である。
【図６】本発明の多項目イオン活量測定器具に組込まれる細片状多孔性液体分配部材の他の一例の構成を示す図である。
【図７】本発明の多項目イオン活量測定器具に組込まれる細片状多孔性液体分配部材の他の一例の構成を示す図である。
【図８】本発明の多項目イオン活量測定器具に組込まれる細片状多孔性液体分配部材の他の一例の構成を示す図である。
【図９】本発明の多項目イオン活量測定器具に組込まれる細片状多孔性液体分配部材の他の一例の構成を示す図である。
【図１０】本発明の多項目イオン活量測定器具に組込まれる細片状多孔性液体分配部材の他の一例の構成を示す図である。
【図１１】本発明の多項目イオン活量測定器具に組込まれる細片状多孔性液体分配部材の他の一例の構成を示す図である。
【図１２】本発明の多項目イオン活量測定器具に組込まれる細片状多孔性液体分配部材の他の一例の構成を示す図である。
【図１３】本発明の多項目イオン活量測定器具に組込まれる細片状多孔性液体分配部材の他の一例の構成を示す図である。
【図１４】本発明の多項目イオン活量測定器具に組込まれる細片状多孔性液体分配部材の他の一例の構成を示す図である。
【符号の説明】
【００３１】
２００  イオン選択電極対
２１１、２２１  液接触領域
４１０  細片状多孔性液体分配部材
３１ａ、３１ｂ、３１ｃ  イオン選択電極
３６  細片状多孔性液体分配部材
【図１】
2005164245.tif 000003
【図２】
2005164245.tif 000004
【図３】
2005164245.tif 000005
【図４】
2005164245.tif 000006
【図５】
2005164245.tif 000007
【図６】
2005164245.tif 000008
【図７】
2005164245.tif 000009
【図８】
2005164245.tif 000010
【図９】
2005164245.tif 000011
【図１０】
2005164245.tif 000012
【図１１】
2005164245.tif 000013
【図１２】
2005164245.tif 000014
【図１３】
2005164245.tif 000015
【図１４】
2005164245.tif 000016